(57)【要約】【課題】給気と排気とを同時に行えるようにしたレンジフードについて、給気ダクト側での圧力変動をできるだけ緩和して、レンジフード内のファンに掛かる負荷の変化を少なくして、レンジフード内への安定した給気を行なえ、レンジフードでの騒音の発生を抑えることのできる給排気管接続ボックスを提供すること。【解決手段】給排気管接続ボックス５０を気密的なものに構成するとともに、内部に、フード本体１０側に設けた排出口２３と排気ダクトの内端側とを連通させる補助排気管５０ａを収納して、その全体をスラブ５１の下側空間または天井５２の上側空間内に固定し、この給排気管接続ボックス５０の側面及び底面にそれぞれ形成した吸気口５５及び吸気排出口５６に、吸気ダクト５４及びフード本体１０側の給気口３１を接続したこと。【選択図】図１
2004211945.tif 000002
【特許請求の範囲】
【請求項１】
キッチンの調理器上に設置されて、少なくとも前記調理器から発生する油煙や水蒸気を含んだ排気をフード本体にて捕集してから排気ダクトを介して屋外に排出するとともに、この排出された前記排気分に見合った空気を給気ダクトにより屋外または室内から前記フード本体に向けて送るようにした給排気型レンジフードのための給排気管接続ボックスであって、
この給排気管接続ボックスを気密的なものに構成するとともに、内部に、前記フード本体側に設けた排出口と前記排気ダクトの内端側とを連通させる補助排気管を収納して、その全体をスラブの下側空間または天井の上側空間内に固定し、この給排気管接続ボックスの側面及び底面にそれぞれ形成した吸気口及び吸気排出口に、前記吸気ダクト及びフード本体側の給気口を接続して、
給気を安定させて、排気を給気に悪影響を与えないで行えるようにしたことを特徴とする給排気型レンジフードのための給排気管接続ボックス。
【発明の詳細な説明】
【０００１】
【発明の属する技術分野】
本発明は、加熱装置上のなべやフライパン等の調理器から発生する油煙や水蒸気を含んだ排気を捕集して屋外に排出するレンジフードのための給排気管接続ボックスに関し、特に、給気や排気の排出を安定的に行えるようにした給排気管接続ボックスに関するものである。
【０００２】
【従来の技術】
キッチンの電磁調理器やガスコンロ等の加熱装置によって、例えばフライパンで調理を行うと、その調理に使用した油が油煙となって蒸発し、この油煙が調理材料の水分による水蒸気とともに上昇する。この油煙等の排気は、そのままキッチン内に放散させると、壁や家具を汚すだけでなく、その中の臭いによりキッチン内の空気を汚すことにもなる。このため、従来より、キッチンの調理器上に設置されるレンジフードが種々提案されてきているのであり、このレンジフードに内蔵されているファンの作用によって排気を捕集して屋外に排出するようにすることがなされてきているのである。
【０００３】
一方、近年の家屋についてみてみると、コンクリートで作られた集合住宅で多く見られるように、各部屋の気密性が非常に高くなってきており、レンジフードが設置されているキッチンも気密性が高くなってきている。
【０００４】
この気密性の高いキッチンにて、上述したようなレンジフードを作動させても、排気の排出量に見合う空気の供給ができないため、結果的に十分な排気が行えない。窓を開けて外気を導入することも考えられるが、冬期においては、冷たい空気を部屋内に導入するということになり、折角のレンジフードも十分使用されない場合が多い。その結果、相変わらず、調理する毎に、部屋の空気が汚れ、油煙が壁や家具に付着するということになる。
【０００５】
また、近年の集合住宅は高層化しているため、約２０メートル以上の部屋では、風による影響のため、十分な給気が行えないことがある。その第１の理由は、窓側からの風が入りにくくなっていて、直接外気の取り込みがしにくくなっているからであり、第２の理由は高層になればなる程、風による給気の圧力変化が発生するため、外気の導入を安定して行いづらくなるからである。つまり、給気を取る口に風が直接当たったり、あるいは負圧が掛かったりすると、レンジフード内のファンに掛かる負荷が変化をすることになり、レンジフード内への安定した給気が行えないだけでなく、騒音の発生原因ともなるのである。
【０００６】
ところで、出願人は、特許文献１等において、排気機能を十分高めたレンジフード用の排気装置を提案してきているのであるが、この特許文献１の考え方をさらに押し進めて、給気をも自ら行えるようにするにはどうしたらよいか、について種々調査を重ねてきた結果、図１０にて示す特許文献２にて提案されている「同時給排気型レンジフード２００」を、また、図１１にて示す特許文献２にて提案されている「給排気式レンジフード３００のファン」、さらには、図１２にて示す、非特許文献１に記載されている「レンジフード４００」の存在を見出したのである。
【０００７】
【特許文献１】特許掲載公報第３１３１７３１号、特許請求の範囲
【特許文献２】特開平０５−１９６２６８号公報、要約
【特許文献３】特開平０７−２６０２２７号公報、要約
【非特許文献１】東京都中央区八丁堀４−１−３所在の暖冷工業株式会社発行のカタログ、２００１年１１月現在の内容を示すもの、その第３８頁
【０００８】
【発明が解決しようとする課題】
特許文献２にて提案されている「同時給排気型レンジフード２００」は、図１０に示すように、実線矢印にて示した排気の流れを、点線矢印にて示した給気の流れによって包み込み、排気をフード本体２０６内に完全に送り込めるようにしたものである。
【０００９】
この図１０に示したレンジフード２００では、上記特許文献２の段落００１９に記されているように、給気ファン２０１は給気用電動機２０２で駆動され、排気ファン２０３は排気用電動機２０４で駆動されるものであり、これらの給気用及び排気用電動機２０２・２０４はファンインバータ２０５に接続されているものである。換言すれば、図１０に示した従来のレンジフード２００では、給気及び排気の両ファン２０１・２０３が別個に配置されていて、それぞれ電動機２０２・２０４を必要としているのであり、これらを収納するために、フード本体２０６に大きなスペースが必要となっている。
【００１０】
それだけでなく、この図１０に示した従来のレンジフード２００では、風によって圧力変動が激しい筈の給気ダクトについての対策が全く施されていないため、給気を安定して行えないだけでなく、不安定な給気に基づく騒音の発生が考えられる。
【００１１】
一方、図１１に示したレンジフード３００についてみてみると、このレンジフード３００も、図中の黒矢印で示した排気の流れを白矢印で示した給気の流れで包み込み、排気をフード本体３０１内に完全に送り込めるようにしたものであるが、このレンジフード３００についても、上述した図１０のレンジフード２００と同様な問題を有している。
【００１２】
すなわち、この図１１のレンジフード３００は、上記特許文献３の段落０００９に記載されているように、まず、下面を開放した箱状に形成したフード本体３０１内に、ケーシング３０２、モータ３０３及びファン３０４で構成される排気装置３１０を配置したものであり、この排気装置３１０は天板部３２０の下面に取付けてある。また、このレンジフード３００は、段落００１３に記載されているように、天板部３２０の上面に外気給気装置３３０を配置したものであり、この外気給気装置３３０は、天板部３２０上面に取付けられたケーシング内部に給気ファン３３１を収納し、天板部３２０下面に取付けたモータ３３２によって駆動するようにしたものである。
【００１３】
従って、この図１１に示したレンジフード３００も、給気及び排気ファン３３１・３０２が天板部３２０の上下に別個に配置されていて、それぞれモータ３３２・３０３を必要としているのであり、これらを収納するために、フード本体３０１内に大きなスペースが必要になっているものである。それだけでなく、この図１１に示した従来のレンジフード３００でも、風によって圧力変動が激しい筈の給気ダクトについての対策が全く施されていないため、給気を安定して行えないだけでなく、不安定な給気に基づく騒音の発生が考えられる。
【００１４】
そして、図１２に示した「レンジフード４００」では、排気ファン４０１及び給気ファン４０２を１つの駆動モータ４０３に駆動するようにして、排気ファン４０１による排気を排気ダクト４０４で、また給気ファン４０２による給気を給気ダクト４０５で行うようにすることがなされている。このようにすることにより、図１０や図１１で示したレンジフード２００・３００での、排気ファン及び給気ファンのそれぞれを個別に駆動するというムダは省かれていると考えられる。
【００１５】
しかしながら、この図１２に示したレンジフード４００では、排気ファン４０１及び給気ファン４０２がフード本体４０６内の上下方向に配置されているため、各ファンが回転して排気や空気の流れを作るためには横方向に相当大きな空間が必要になるのであり、フード本体４０６の上部が大きくなって当該レンジフード４００の収納や取付を困難にするだけでなく、デザイン上も好適とは言えないものと考えられる。また、上下方向に対する空間も十分大きいことが必要となるため、調理器と天井との間の空間が余りない一般住宅において、設置すること自体が不可能になる場合があると考えられる。
【００１６】
すなわち、この種のレンジフードは、図１０及び図１１にも示されているように、電磁調理機等の加熱装置上の調理器の、さらに上方に配置されるものであって、調理器と天井との間の空間を利用するものであるため、上下方向についてはそれ程大きくすることはできないのである。特に、上述したように一般の個人住宅においては、キッチンの天井は低く、図１０〜図１２に示したような上下方向に長くなる従来のレンジフードは設置しにくいのである。
【００１７】
そして、この種のレンジフードでは、前述した従来例のように給気ダクト側に何らの対策も施していないと、給気を取る口に風が直接当たったり、あるいは負圧が掛かったりした場合に、レンジフード内のファンに掛かる負荷が変化をすることになり、レンジフード内への安定した給気が行えないだけでなく、騒音を発生させることにもなるのである。
【００１８】
そこで、本発明者は、給気ダクトの口元側で発生した圧力変動を緩和させるにはどうしたらよいか、について種々検討を重ねてきた結果、本発明を完成したのである。
【００１９】
本発明は、以上の経緯に基づいてなされたもので、その目的とするところは、給気と排気とを同時に行えるようにしたレンジフードについて、給気ダクト側での圧力変動をできるだけ緩和して、レンジフード内のファンに掛かる負荷の変化を少なくして、レンジフード内への安定した給気を行なえ、レンジフードでの騒音の発生を抑えることのできる給排気管接続ボックスを提供することにある。
【００２０】
【課題を解決するための手段】
以上の課題を解決するために、本発明の採った手段は、後述する実施の形態の説明中で使用する符号を付して説明すると、
「キッチンの調理器７０上に設置されて、少なくとも調理器７０から発生する油煙や水蒸気を含んだ排気をフード本体１０にて捕集してから排気ダクト５３を介して屋外に排出するとともに、この排出された前記排気分に見合った空気を給気ダクト５４により屋外または室内からフード本体１０に向けて送るようにした給排気型レンジフード１００のための給排気管接続ボックス５０であって、
この給排気管接続ボックス５０を気密的なものに構成するとともに、内部に、フード本体１０側に設けた排出口２３と排気ダクトの内端側とを連通させる補助排気管５０ａを収納して、その全体をスラブ５１の下側空間または天井５２の上側空間内に固定し、
この給排気管接続ボックス５０の側面及び底面にそれぞれ形成した吸気口５５及び吸気排出口５６に、吸気ダクト５４及びフード本体１０側の給気口３１を接続して、
給気を安定させて、排気を給気に悪影響を与えないで行えるようにしたことを特徴とする給排気型レンジフード１００のための給排気管接続ボックス５０」
である。
【００２１】
すなわち、この給排気管接続ボックス５０は、図２に示すように、その全体をスラブ５１の下側空間または天井５２の上側空間内に固定したものであり、図１〜図３に示すように、排気流路と給気流路とを完全に別系統にするとともに、その内部に給気の緩衝空間を形成したものである。
【００２２】
この給排気管接続ボックス５０の作用を説明する前に、この給排気管接続ボックス５０が使用される給排気型レンジフード１００について説明すると、この給排気型レンジフード１００は、上下方向に互いに隣接し合う第１区画箱２０と第２区画箱３０とをフード本体１０の上部に備えたものである。そして、第１区画箱２０内にはシロッコファン２２を組付け、第２区画箱３０内には給気ファン３３（クロスファンと呼ばれるタイプのもの）を組付けて、これらのシロッコファン２２及び給気ファン３３を、その中心に配設した１つの駆動モータ４０によって同軸的に駆動するようにしたものである。
【００２３】
特に、この給排気型レンジフード１００では、そのフード本体１０内に、上下方向に互いに隣接し合う第１区画箱２０と第２区画箱３０とを形成し、それぞれの中にシロッコファン２２と給気ファン３３とを設けるようにしているから、フード本体１０という狭い空間内に、上下方向の排気及び空気通路が効率よく形成されているのであり、シロッコファン２２と給気ファン３３とによる各送気を、限られた空間内で行えるようにしているのである。このため、この給排気型レンジフード１００は、フード本体１０がコンパクトなものになって、図１０〜図１２に示した従来のレンジフードに比較して小さくなっているのである。
【００２４】
以上のように構成することにより、この給排気型レンジフード１００では、図１〜図９中の黒矢印で示すような排気の流路と、白矢印で示すような給気の流路が形成されるのである。これら各流路は、互いに隣接し合う第１区画箱２０と第２区画箱３０とによって互いに混合し合うことなく送られるものとなっているのである。なお、後述する実施形態では、フード本体１０内にフィルター１１を配置しており、このフィルター１１の存在によって油煙の一部が除去されるため、油煙がある程度除去された排気は、図１〜図９中のハッチング矢印で示したような流路を形成するものである。これら３種類の流路について、当該給排気型レンジフード１００の各構成部材との関係を説明すると、次の通りである。
【００２５】
まず、排気を行うためのシロッコファン２２を収納している第１区画箱２０は、その下部側方にて開口している吸引口２１にてフード本体１０内に連通していて、この第１区画箱２０は図示上方の排気ダクト５３につながれているため、駆動モータ４０によってシロッコファン２２が駆動されると、フード本体１０内の排気等は、第１区画箱２０の吸引口２１から吸引されて排気ダクト５３から排出されるのである。このとき、以下の実施形態に係る給排気型レンジフード１００では、フード本体１０内にフィルター１１が配置してあるため、調理器７０から発生した油煙や水蒸気を含む排気は、各図中の黒矢印で示すように、フィルター１１を通り、その際に、このフィルター１１によって油煙の大部分が液化されて、各図中のハッチング矢印で示す油煙の少なくなった排気となる。
【００２６】
その後、ハッチング矢印で示した排気は、図５及び図９に示すように、第１区画箱２０の吸引口２１からシロッコファン２２内に取り込まれ、このシロッコファン２２を構成している各ブレード２２ａから第１区画箱２０の上方に向けて送られる。この第１区画箱２０には給排気管接続ボックス５０を介して排気ダクト５３が接続してあったから、ある程度残っている油煙と水蒸気を含む排気は排気ダクト５３を介して屋外に排出されるのである。
【００２７】
以上のシロッコファン２２による排気がなされるだけであれば、当然当該給排気型レンジフード１００を設置したキッチン内は、僅かに負圧になって排気がうまくいかないことになるのであるが、この給排気型レンジフード１００では第２区画箱３０内の給気ファン３３によって、外気または天井５２裏の空気の供給が次のようになされるから、排気ガスの排出は安定的になされるのである。
【００２８】
給気ファン３３を収納している第２区画箱３０は、シロッコファン２２を収納している第１区画箱２０に隣接して配置してあって、その上端に形成した給気口３１は屋外等に開口している給気ダクト５４に接続してあり、またこの第２区画箱３０の下部に形成した吐出口３２はフード本体１０内に開口させてある。従って、シロッコファン２２を駆動している駆動モータ４０により当該給気ファン３３も駆動されれば、この給気ファン３３は、外気等をフード本体１０内に送り込み、シロッコファン２２による排気の排出作用に見合う分の外気の導入を行うのである。
【００２９】
つまり、この給排気型レンジフード１００は、キッチン内の調理器７０から発生した油煙を含む排気の排出を、給気ファン３３による外気の導入という助けを借りて効果的に行えるだけでなく、シロッコファン２２と給気ファン３３とを１つの駆動モータ４０に同軸的に連結するようにしたから、図１０〜図１２に示した従来の給排気型レンジフードに比較して非常に小型化（コンパクト化）されているのであり、調理器７０と天井５２との間のスペースが小さい一般住宅においても、十分設置できるものとなっているのである。
【００３０】
さて、以上のような作動を給排気型レンジフード１００が行っているとき、給気ダクト５４の屋外開口側に風による急激な圧力変動があっても、これがそのまま直接的に給気ファン３３には掛からない。何故なら、給排気管接続ボックス５０そのものは気密的になっており、給排気管接続ボックス５０の内部は密閉されて緩衝空間となっているから、給気ダクト５４の先端側に発生している圧力変動はこの給排気管接続ボックス５０内で緩和されるからである。つまり、給気ファン３３に送られてきた給気ファン３３直近の空気の圧力に比して、給気ダクト５４の先端（外）側の圧力が上下に変動していても、この圧力の差は、給排気管接続ボックス５０内にて均されるのであり、結果として、給気ファン３３にはそれまで供給されていたのと同程度の圧力空気が流れ込むように緩衝されることになるのである。
【００３１】
給気ファン３３に供給されてくる外気の圧力が、外の風による空気の圧力とは異なって給排気管接続ボックス５０内で均されたものであれば、当然給気ファン３３に掛かる負荷も均されたものとなり、結果として、給気ファン３３に対しては短時間内では大きな負荷変動もないことになる。そうなれば、給気ファン３３は安定した駆動がなされることになり、少なくとも、この給気ファン３３から騒音の発生はない。そして、給気ファン３３の周辺及び後流側各部での空気の流れも、給排気管接続ボックス５０によって緩衝された空気によって形成されているため安定したものとなり、騒音の発生が極力抑えられるのである。
【００３２】
また、本発明に係る給排気管接続ボックス５０は、当該給排気型レンジフード１００をスラブ５１下や天井５２上の空間に設置する場合に、非常に作業性をよくしてもいる。スラブ５１下や天井５２上の空間は、一般的には人が這って通れる程度の狭いものであるから、ここに排気ダクト５３や給気ダクト５４を配管して固定することは簡単なことではない。ところが、この給排気管接続ボックス５０は、ボルト等によってスラブ５１下や天井５２上に取り付ければ、これ自体が給気ダクト５４のための給気口５５や、フード本体１０のＬ上端に接続される補助排気管５０ａを内蔵しているから、この補助排気管５０ａや給気口５５に排気ダクト５３や給気ダクト５４を連結すればよいのである。
【００３３】
しかも、この給排気管接続ボックス５０をスラブ５１下や天井５２上に固定すれば、この給排気管接続ボックス５０を介して給排気型レンジフード１００を吊下することも簡単に行えるのである。この種の給排気型レンジフード１００は、それ程空間に余裕のないキッチンに設置されるのであるが、その設置をこの給排気管接続ボックス５０を利用することにより簡単に行えるのである。
【００３４】
従って、本発明に係る給排気管接続ボックス５０は、給気ダクト５４の先端で圧力変化があったとしてもこれを緩衝することになって、給排気型レンジフード１００の騒音の発生をよく抑えるものであり、しかも給排気型レンジフード１００や排気ダクト５３あるいは給気ダクト５４の設置を容易に行えるものにしているのである。
【００３５】
この給排気管接続ボックス５０が適用される給排気型レンジフード１００としては、上述したものの他に、フード本体１０の内側であって、第１及び第２区画箱２０・３０の下側に区画板３４を設け、この区画板３４と第１及び第２区画箱２０・３０との間に前記空気のための給気通路３５を形成して、この給気通路３５に第２区画箱３０の吐出口３２を開口させるとともに、この給気通路３５をフード本体１０の内側に開口させて、給気ダクト５４からの空気をフード本体１０の内面に吐出させることにより、調理器７０からの排気を囲むエアカーテンを発生させるようにしたものに対しても適用できるものである。
【００３６】
このようにした給排気型レンジフード１００は、図１〜図５に示した実施形態についてのもので、第１区画箱２０及び第２区画箱３０の下方に、給気された空気の給気通路３５を形成する区画板３４を有したものである。この区画板３４は、図１に示すように、ハッチング矢印にて示した排気を第１区画箱２０に形成してあるシロッコファン２２のための吸引口２１に案内するとともに、第２区画箱３０の下端に開口させてある吐出口３２からの空気をフード本体１０の内面に向けて案内するものである。つまり、この区画板３４は、ハッチング矢印の排気と、白矢印で示した給気された空気とを互いに混合し合わないようにするものであり、特に空気をフード本体１０の内面に向けて吹き付けるようにしているものである。
【００３７】
以上のような区画板３４を有することにより、フード本体１０内に給気された空気は、図１、図４及び図５中の白矢印にて示すように、フード本体１０の内面に沿って「層流風効果」、つまり油煙が直接フード本体１０に接触しないようにする効果を発揮するのである。この層流風は、調理器７０から直接上昇してくる排気の周囲を囲むエアカーテンともなるのであり、排気がキッチン内に広がらないように、フード本体１０による排気の捕集を確実にしているのである。
【００３８】
また、この給排気型レンジフード１００については、その第１及び第２区画箱２０・３０の周囲に区画筒６０を取付けるとともに、この区画筒６０の下端に、第１区画箱２０の吸引口２１のみをフード本体１０内に連通させる通孔６２を有した隔離板６１を取付け、この隔離板６１と、区画筒６３及びフード本体１０との間に給気通路６３を形成し、この給気通路６３内に対して、第２区画箱３０の吐出口３２、区画筒６０の開口６４、及びフード本体１０の上部に形成した給気口１２を介して第２区画箱３０内を連通させて、給気ダクト５４からの空気をフード本体１０の外面に吐出させることにより、このフード本体１０上面１の油滴の付着を防止するとともに、調理器７０からの排気を囲むエアカーテンを発生させるようにすることも可能である。
【００３９】
このようにした給排気型レンジフード１００は、図６〜図９に示したものであり、第１区画箱２０及び第２区画箱３０の下部周囲に区画筒６０を設けることにより、この区画筒６０とフード本体１０の上部との間に、給気ファン３３によって吸引された外気の給気通路６３を形成するようにしたものである。そのため、この給排気型レンジフード１００においては、図６及び図７に示すように、第２区画箱３０内に給気された空気をフード本体１０内に吐出する吐出口３２は、給気ファン３３を吸収している第２区画箱３０の下端には形成していなくて、第２区画箱３０の側部に形成し、この第２区画箱３０をフード本体１０外へ連通させるための隔離板６１を区画筒６０の下端に設けたものである。
【００４０】
区画筒６０は、上述した通り、第１区画箱２０及び第２区画箱３０の下部外周をとり囲むものであり、その上端を第１区画箱２０及び第２区画箱３０に取付けるとともに、その下端開口及びこれとフード本体１０の内面との間を隔離板６１によって塞いだものである。これにより、この区画筒６０とフード本体１０の内面との間に第１区画箱２０及び第２区画箱３０の周囲を囲むことになる給気通路６３を形成するとともに、この区画筒６０内に隔離板６１に形成した通孔６２のみでフード本体１０内に連通することになる排気取込み空間を形成しているのである。
【００４１】
給気通路６３についてみてみると、この給気通路６３はフード本体１０の上部側面に形成した多数の給気口１２によってフード本体１０外に開口しているのであるが、この給気通路６３は、図７に示すように、隔離板６１の側面に形成した開口６４と、その内側に位置している第２区画箱３０の吐出口３２とにより、給気ファン３３を収納している第２区画箱３０内に連通しているのである。
【００４２】
以上のように給気通路６３を構成している結果、給気ファン３３によって第２区画箱３０内に吸引された外気等の空気は、この給気ファン３３の作用によって第２区画箱３０の吐出口３２、区画筒６０の開口６４、及びフード本体１０の給気口１２によって当該給排気型レンジフード１００外に吐出されるのである。吐出された空気は、図６〜図９中の白矢印にて示すように、シロッコファン２２の排気作用により、フード本体１０の上面上を、層流風を形成しながら流下してフード本体１０内に下方から入り込もうとするのであり、これにより、前述した層流風効果を発揮するとともに、調理器７０から立ち昇っている排気の周囲を囲むエアカーテンを形成することになるのである。
【００４３】
このエアカーテンは、図６にも示すように、油煙を含む排気がキッチン内に拡散しないようにするものであり、シロッコファン２２による排気の排出を効果的に行うようにしているのである。このとき、エアカーテンを作る前の空気は、図７に示したように、フード本体１０の上面を流れる層流風ともなるのであるから、このフード本体１０上に降り積もろうとしているホコリ等の除去をも行うものであり、前述したように、フード本体１０上面が汚れるのを防止する層流風効果を発揮しているものである。
【００４４】
【発明の実施の形態】
次に、本発明に係る給排気管接続ボックス５０について説明するが、この給排気管接続ボックス５０が適用される給排気型レンジフード１００としては、図１〜図５に示した第１実施例と、図６〜図９に示した第２実施例とが考えれる。従って、この給排気型レンジフード１００の実施例について、これに使用される給排気管接続ボックス５０を説明していくと、次の通りである。
【００４５】
（第１実施例）
図１には、第１実施例に係る給排気型レンジフード１００を、キッチンの天井５２であって、図３に示したようななべ等の調理器７０上に取付けた状態の断面図が示してあり、この給排気型レンジフード１００には、調理器７０のさらに上になるスラブ５１下面に取付けた給排気管接続ボックス５０を介して排気ダクト５３及び給気ダクト５４がそれぞれ接続してある。
【００４６】
給排気管接続ボックス５０は、これを気密的なものに構成するとともに、内部に、フード本体１０側に設けた排出口２３と排気ダクトの内端側とを連通させる補助排気管５０ａを収納して、その全体をスラブ５１の下側空間または天井５２の上側空間内に固定したものである。
【００４７】
そして、この給排気管接続ボックス５０は、その側面及び底面にそれぞれ形成した吸気口５５及び吸気排出口５６に、吸気ダクト５４及びフード本体１０側の給気口３１を接続して使用されるものであり、給気を安定させて、排気を給気に悪影響を与えないで行えるようにするものである。
【００４８】
給排気型レンジフード１００は、図３に示した加熱装置８０上の調理器７０に対して、上方から覆い被る形状のフード本体１０と、このフード本体１０内に組込まれて、互いに上下方向に位置して隣接し合う第１区画箱２０及び第２区画箱３０と、これらの第１区画箱２０及び第２区画箱３０内にそれぞれ設けたシロッコファン２２及び給気ファン３３を有しているものである。
【００４９】
フード本体１０内には、図１、図４及び図５に示したように、調理器７０から立ち昇ってくる油煙や水蒸気等を含む排気中から、油煙の大部分を油滴化して捕集するフィルター１１が設けてある。なお、このフィルター１１にて補修された油滴は、図１中に示した油貯め１１ａ中に一定量貯めておかれるものである。また、この第１実施例におけるフード本体１０の上部には、第２実施例における給気口１２は形成されていない。
【００５０】
このフード本体１０内には、図１の図示左方部分及び図５に示したように、第１区画箱２０が収納して取付けてあり、この第１区画箱２０の上部に形成してある排出口２３は、前述した給排気管接続ボックス５０内に導びかれている排気ダクト５３に接続してある。また、この第１区画箱２０の下部側方には吸引口２１が形成してあって、この吸引口２１を通して第１区画箱２０内とフード本体１０内とを連通させてある。
【００５１】
この第１区画箱２０内の底部には、図５に示したように、多数のブレード２２ａを有するシロッコファン２２が設けてあって、その中心開口は、第１区画箱２０の吸引口２１に対向させてある。このシロッコファン２２は、第１区画箱２０と後述する第２区画箱３０との接合部分に設けた１つの駆動モータ４０によって回転駆動されるものであり、フード本体１０内の排気を吸引口２１から吸引して、各ブレード２２ａ間から排気ダクト５３に向けて排出するものである。
【００５２】
なお、この第１区画箱２０内であってシロッコファン２２の後流側に位置する部分には、図１に示したようにダンパ２４が設けてある。このダンパ２４は、当該給排気型レンジフード１００を作動させたときのみ第１区画箱２０内の通路を開放し、給排気型レンジフード１００の停止時にはこの第１区画箱２０内を閉じるものである。これにより、給排気型レンジフード１００の不使用中に、排気ダクト５３を通して外気が導入されてくるのを防止しているのである。
【００５３】
この第１区画箱２０に隣接する第２区画箱３０は、その上端に形成した給気口３１によって、給排気管接続ボックス５０内に導かれている給気ダクト５４に接続されるのものであって、この第１実施例の第２区画箱３０においては、その底部に吐出口３２が形成してある。また、この第２区画箱３０の底部内には、クロスファンと呼ばれるタイプの給気ファン３３が設けてあり、この給気ファン３３は、第１区画箱２０内に設けてあるシロッコファン２２と同軸的に、前述した１つの駆動モータ４０によって回転駆動されるものである。そして、この給気ファン３３は、前記シロッコファン２２とは異なってクロスファンタイプのものであり、その多数のブレードの外面によって風を送るものである。
【００５４】
この第２区画箱３０の下方には、給気通路３５を形成するため、所定間隔をおいて区画板３４が配置してあって、この区画板３４の一端（図１中の図示左端）は第１区画箱２０に連結してあり、その図１に示した右端は、フード本体１０の内面に対向させてある。つまり、この区画板３４は、フード本体１０内のフィルター１１を通して吸引されてきた排気を、第１区画箱２０の側方に形成してある吸引口２１に向けて案内するものであり、かつ第２区画箱３０の下方に形成した吐出口３２から送られてきた空気をフード本体１０の内面側に吹き出させるものである。
【００５５】
換言すれば、第２区画箱３０内の給気ファン３３は、給気ダクト５４を通して吸引した空気を、第２区画箱３０の底部に形成した吐出口３２から給気通路３５内に送り込み、この給気通路３５を構成している区画板３４によってフード本体１０の内面に向けて空気を吹き付けるようにしたものである。
【００５６】
この給気ファン３３による空気のフード本体１０内面への吹き付けが行われているということは、駆動モータ４０が駆動されていて第１区画箱２０内のシロッコファン２２も駆動されていることであるから、図１、図４及び図５に示したように、調理器７０からの排気がフード本体１０内に向けて流れていることであるため、給気ファン３３による空気の吹き出しは、この排気の周りを取り囲むエアカーテンを形成することになるのである。
【００５７】
（第２実施例）
次に、図６〜図９に示した第２実施例について説明するが、この第２実施例に係る給排気型レンジフード１００においては、以下の点を除いて、上記第１実施例の給排気型レンジフード１００と共通する部材を多く含むものであるため、共通部材については、図６〜図９中に同一符号を付して、その説明を省略する。また、この給排気型レンジフード１００にも、調理器７０のさらに上になるスラブ５１下面に取付けた給排気管接続ボックス５０を介して排気ダクト５３及び給気ダクト５４がそれぞれ接続してある。
【００５８】
給排気管接続ボックス５０は、上述した通り、これを気密的なものに構成するとともに、内部に、フード本体１０側に設けた排出口２３と排気ダクトの内端側とを連通させる補助排気管５０ａを収納して、その全体をスラブ５１の下側空間または天井５２の上側空間内に固定したものである。
【００５９】
そして、この給排気管接続ボックス５０は、その側面及び底面にそれぞれ形成した吸気口５５及び吸気排出口５６に、吸気ダクト５４及びフード本体１０側の給気口３１を接続して使用されるものであり、給気を安定させて、排気を給気に悪影響を与えないで行えるようにするものである。
【００６０】
この第２実施例の給排気型レンジフード１００の、第１実施例のそれと異なる点は、第１実施例における区画板３４を省略して、第１区画箱２０及び第２区画箱３０の下部外周を囲む区画筒６０を採用したことであり、これにより、区画筒６０とフード本体１０との間に、第１区画箱２０と第２区画箱３０とを囲む筒状の給気通路６３を形成したことである。この排出口２３内に、給気ファン３３によって外気を導入するための吐出口３２は、第２区画箱３０の底部に形成するのではなく、図７に示したように、第２区画箱３０の側部に形成してあるのである。
【００６１】
この吐出口３２から区画筒６０内に送られた空気は、この区画筒６０に形成した開口６４を通して給気通路６３内に送り込まれるようにしてあり、この給気通路６３内に流入した空気は、フード本体１０の上方側部に多数形成してある各給気口１２から外方へ吹き出されるのである。
【００６２】
また、この第２実施例の給排気型レンジフード１００においては、第１区画箱２０内のシロッコファン２２によってフード本体１０内に吸引された排気は、図６及び図７に示したように、隔離板６１の図示左方部分に形成した通孔６２を通して、第１区画箱２０の吸引口２１内に入り込む。この排気の吸引時には、駆動モータ４０によって給気ファン３３も駆動されているのであるから、排気の周囲には、図６〜図９中の白矢印にて示したように、給気された外気によるエアカーテンが形成されるのである。
【００６３】
そして、外気がエアカーテンを形成する前段階においては、この外気は、図６等に示したように、フード本体１０上を流下してホコリや油滴の付着を防止するのである。
【００６４】
【発明の効果】
以上、説明した通り、本発明においては、上記実施形態にて例示した如く、
「キッチンの調理器７０上に設置されて、少なくとも調理器７０から発生する油煙や水蒸気を含んだ排気をフード本体１０にて捕集してから排気ダクト５３を介して屋外に排出するとともに、この排出された前記排気分に見合った空気を給気ダクト５４により屋外または室内からフード本体１０に向けて送るようにした給排気型レンジフード１００のための給排気管接続ボックス５０であって、
この給排気管接続ボックス５０を気密的なものに構成するとともに、内部に、フード本体１０側に設けた排出口２３と排気ダクトの内端側とを連通させる補助排気管５０ａを収納して、その全体をスラブ５１の下側空間または天井５２の上側空間内に固定し、
この給排気管接続ボックス５０の側面及び底面にそれぞれ形成した吸気口５５及び吸気排出口５６に、吸気ダクト５４及びフード本体１０側の給気口３１を接続して、
給気を安定させて、排気を給気に悪影響を与えないで行えるようにしたこと」にその構成上の特徴があり、これにより、給気と排気とを同時に行えるようにしたレンジフード１００について、給気ダクト５４側での圧力変動をできるだけ緩和して、レンジフード１００内の給気ファン３３に掛かる負荷の変化を少なくして、レンジフード１００内への安定した給気を行なえ、レンジフード１００での騒音の発生を抑えることのできる給排気管接続ボックス５０を提供することができるのである。
【図面の簡単な説明】
【図１】本発明の給排気管接続ボックス５０を採用した第１実施例に係る給排気型レンジフードの縦断正面図である。
【図２】図１に示した給排気管接続ボックス５０の周囲を拡大して示した部分拡大縦断正面図である。
【図３】図１中の１−１線に沿ってみた横断平面図である。
【図４】図１中の２−２線に沿ってみた縦断右側面図である。
【図５】図１の３−３線に沿ってみた縦断左側面図である。
【図６】本発明の給排気管接続ボックス５０を採用した第２実施例に係る給排気型レンジフードの縦断正面図である。
【図７】同給排気型レンジフードを拡大して示した部分拡大縦断正面図である。
【図８】図６中の４−４線に沿ってみた縦断右側面図である。
【図９】図６中の５−５線に沿ってみた縦断左側面図である。
【図１０】従来の技術を示す縦断側面図である。
【図１１】従来の他の技術を示す縦断側面図である。
【図１２】従来のさらに他の技術を示す縦断側面図である。
【符号の説明】
１００…給排気型レンジフード
１０…フード本体
１１…フィルター
１２…給気口
２０…第１区画箱
２１…吸引口
２２…シロッコファン
２２ａ…ブレード
２３…排出口
２４…ダンパ
３０…第２区画箱
３１…給気口
３２…吐出口
３３…給気ファン
３４…区画板
３５…給気通路
４０…駆動モータ
５０…給排気管接続ボックス
５０ａ…補助排気管
５１…スラブ
５２…天井
５３…排気ダクト
５４…給気ダクト
５５…給気口５５
５６…給気排出口
６０…区画筒
６１…隔離板
６２…通孔
６３…給気通路
６４…開口
７０…調理器
８０…加熱装置
【図１】
2004211945.tif 000003
【図２】
2004211945.tif 000004
【図３】
2004211945.tif 000005
【図４】
2004211945.tif 000006
【図５】
2004211945.tif 000007
【図６】
2004211945.tif 000008
【図７】
2004211945.tif 000009
【図８】
2004211945.tif 000010
【図９】
2004211945.tif 000011
【図１０】
2004211945.tif 000012
【図１１】
2004211945.tif 000013
【図１２】
2004211945.tif 000014